(57)【要約】【課題】アクセス性、保存安全性に優れた光ディスクとコスト面で優れた磁気テープを組み合わせて使用可能な安価なシステムを提供する。【解決手段】第１のカートリッジに収納されるテープ状の情報記録媒体に対して記録再生を行う第１の記録再生装置と、第1のカートリッジと略同一寸法の第２のカートリッジに収納されるディスク状の情報記録媒体に対して記録再生を行う第２の記録再生装置を備えた情報記録再生システムであって、第１のカートリッジ及び前記第２のカートリッジには、記録再生を行う記録再生装置を区別するための識別子を設けてあることを特徴とする情報記録再生システムを提供する。【選択図】なし【特許請求の範囲】
【請求項１】
第１のカートリッジに収納される第１の情報記録媒体と、第２のカートリッジに収納される第２の情報記録媒体に対して記録再生を行う情報記録再生システムであって、前記情報記録再生システムは、前記第１のカートリッジに対して記録再生を行う第１の記録再生装置と、前記第２のカートリッジに対して記録再生を行う第２の記録再生装置とを備え、前記第１の情報記録媒体はテープ状であり、前記第２の情報記録媒体はディスク状であり、前記第１のカートリッジと前記第２のカートリッジは略同一寸法であり、且つ、前記第１のカートリッジ及び前記第２のカートリッジには、記録再生を行う記録再生装置を区別するための識別子を設けてあることを特徴とする情報記録再生システム。
【請求項２】
第１のカートリッジに収納される第１の情報記録媒体と、第２のカートリッジに収納される第２の情報記録媒体に対して記録再生を行う情報記録再生システムであって、前記情報記録再生システムは、前記第１のカートリッジに対して記録再生を行う第１の記録再生装置と、前記第２のカートリッジに対して記録再生を行う第２の記録再生装置と、前記第１のカートリッジおよび前記第２のカートリッジを複数収納する情報記録媒体集積部と、前記第１のカートリッジおよび前記第２のカートリッジを、前記情報記録媒体集積部から前記第１の記録再生装置および前記第２の記録再生装置へ搬送するための搬送機構を備え、前記第１の情報記録媒体はテープ状であり、前記第２の情報記録媒体はディスク状であり、前記第１のカートリッジと前記第２のカートリッジは略同一寸法であり、且つ、前記第１のカートリッジ及び前記第２のカートリッジには、記録再生を行う記録再生装置を区別するための識別子を設けてあることを特徴とする情報記録再生システム。
【請求項３】
前記第２のカートリッジには複数のディスクが収納されていることを特徴とする請求項１または２記載の情報記録再生システム。
【請求項４】
前記第２のカートリッジに収納されている複数ディスクは、個別に取り出すことが可能であることを特徴とする請求項３記載の情報記録再生システム。
【請求項５】
前記第１のカートリッジにはシングルリールのテープ状情報記録媒体が収納されていることを特徴とする請求項１または２記載の情報記録再生システム。
【請求項６】
前記識別子がバーコード印刷であることを特徴とする請求項１または２記載の情報記録再生システム。
【請求項７】
前記識別子が凹状であり、光学的に識別することを特徴とする請求項１または２記載の情報記録再生システム。
【発明の詳細な説明】
【技術分野】
【０００１】
本発明は大量の情報を保存できる情報記録システムに関し、さらに詳細には複数の磁気テープと光ディスクを用いて情報を保存する情報記録システムに関するものである。
【背景技術】
【０００２】
近年、インターネット、特にブロードバンドの普及により、行政、民間企業から個人に至るまでネットワークに大きく依存した社会構造となってきた。それに伴って増大化の一途を辿る電子情報に対応するため、ストレージシステムもハードディスク、テープライブラリーや光ディスクライブラリーを組み合わせた階層型やネットワーク型へと発展しているところである。ハードディスクはアクセス速度や転送速度の点で他の媒体より優位にあるため、ストレージシステムでは最上位の階層に位置付けられる。一方、磁気テープはデータ容量当りの媒体価格（ビットコスト）が安いため、アクセス速度では劣るものの、ストレージシステムでは主にバックアップ用途に用いられてきた。しかし電子情報に対しては、増大化対応だけでなく、災害時に対応できるリスク管理や24時間無停止運用等、要求される事項も高度化しており、より保存安全性が高く、柔軟性に富んだストレージシステムが求められるようになってきた。例えば、ハードディスクを仮想的に磁気テープとして扱うことによって、磁気テープの欠点であるアクセス速度を改善しようとする試みが始まっている。しかしハードディスクで構築すると、高コストになるだけでなく、ハードディスクドライブが故障すると復旧に大幅な時間を要する等の問題が残っている。
【発明の開示】
【発明が解決しようとする課題】
【０００３】
本発明は、上記従来技術の課題を解決するためになされたものであり、第１の目的は、アクセス性、保存安全性に優れた光ディスクとコスト面で優れた磁気テープを組み合わせて使用可能なシステムを提供することである。また、本発明の第２の目的は磁気テープと光ディスクを併用した安価なシステムを提供することである。
【課題を解決するための手段】
【０００４】
本発明の態様に従えば、第１のカートリッジに収納される第１の情報記録媒体と、第２のカートリッジに収納される第２の情報記録媒体に対して記録再生を行う情報記録再生システムであって、前記情報記録再生システムは、前記第１のカートリッジに対して記録再生を行う第１の記録再生装置と、前記第２のカートリッジに対して記録再生を行う第２の記録再生装置と、前記第１の情報記録媒体はテープ状であり、前記第２の情報記録媒体はディスク状であり、前記第１のカートリッジと前記第２のカートリッジは略同一寸法であり、且つ、前記第１のカートリッジ及び前記第２のカートリッジには、記録再生を行う記録再生装置を区別するための識別子を設けてあることを特徴とする情報記録再生システムが提供される。
【０００５】
本発明の第２の情報記録媒体としてディスク上の記録媒体、例えば光ディスクを用いることでランダムアクセスが可能となり、システムとしてのアクセス速度を向上することが可能になる。
【０００６】
磁気テープである第１のカートリッジと、光ディスクである第２のカートリッジを略同一寸法とすることで、搬送機構を共通化し、1つのライブラリー装置で磁気テープと光ディスクを混在させることができ、装置のコストアップを抑えることができる。
【０００７】
第１のカートリッジと第２のカートリッジを略同一寸法とすることで、ディスク上の情報記録媒体を収容する第２のカートリッジは厚みに余裕があり、第２のカートリッジには複数の情報記録媒体を収納することができる。第２のカートリッジに複数のディスク上の記録媒体を収容した場合、記録再生を行う第２の情報記録再生装置をマルチヘッド構成にすれば、複数のディスクに同時アクセスすることができ、転送レートを向上させることができる。また、第２のカートリッジに収容されるディスク上記録媒体を個別に取り出し可能にすることで、記録再生を行う第２の情報記録再生装置を容易にシングルヘッド構成にすることができる。
【０００８】
また、第１のカートリッジと第２のカートリッジを略同一寸法とした場合、記録再生を行うドライブを区別するために識別子を設ける。カートリッジに識別子を設けることで、搬送機構、あるいはドライブに設けた識別機構により、カートリッジの誤挿入を防止することができる。
【発明の効果】
【０００９】
本発明の情報記録再生システムに従えば、光ディスクの高速アクセス、保存安全性及び磁気テープの低ビットコストの特徴を活かしたストレージシステムの構築が可能になり、また、光ディスクと磁気テープとのカートリッジ共通化によって、安価な光ディスク/磁気テープ混在システムを提供することができる。
【発明を実施するための最良の形態】
【００１０】
以下、本発明に従う実施例について説明するが、本発明はこれに限定されるものではない。
【実施例１】
【００１１】
本発明の共通カートリッジのサイズは、幅105mm×奥行102mm×高21mmとした。光ディスクカートリッジは、上ハーフ、下ハーフ、シャッター、ライトプロテクト、光ディスク単体、光ディスク用トレイから構成されている。光ディスク及びトレイは各1枚の組み合わせが、5セット使用されている。ここで光ディスクは、外径86mm、厚さ2mmの書き換え型で、光磁気方式の記録膜が積層されている。光磁気方式の記録膜ではなく、相変化方式の記録膜でも良い。テープカートリッジは、上ハーフ、下ハーフ、シャッター、ライトプロテクト、磁気テープ、リールから構成されている。磁気テープは幅12.65mm、厚さ9μm、長さ600m、保磁力2.5kOeの光サーボ検出付き磁気媒体である。
【００１２】
共通カートリッジを用いるデータ・ライブラリー・システム（以下、ライブラリー装置）の構成は、以下の通りである。
・光ディスクドライブ：4台（2台ずつのRAID構成）
・磁気テープドライブ：1台
・光ディスクカートリッジ：10カートリッジ
・テープカートリッジ：40カートリッジ
・ライブラリー筐体：1台
【００１３】
ライブラリー筐体の主要構成は、ドライブ取り付けスロット（以下、ドライブスロット）、カートリッジ保管スロット（以下、保管スロット）、カートリッジ搬送機構（以下、搬送機構）、制御用の回路及びソフトからなる。ドライブスロットは、寸法及びインターフェイスとも、光ディスクドライブ及び磁気テープドライブの両方に対応しているため、光ディスクドライブ及び磁気テープドライブをどのドライブスロットに入れるかは任意である。光ディスクカートリッジ及びテープカートリッジは共通カートリッジを使用するため、保管スロットへの装填位置は任意である。搬送機構は、カートリッジを保管スロットからドライブへ、あるいはドライブから保管スロットへ搬送するために、カートリッジを保持する保持部及び保持部を所定の位置に移動する移動機構部からなる。
【００１４】
ライブラリー装置は、以下のような動作を行う。
テープカートリッジがカートリッジ保管スロットに装填されると、ライブラリー装置は、光ディスクカートリッジ、各カートリッジの個別認識を行う。個別認識は、カートリッジ保持部に取り付けられたバーコードリーダーが各カートリッジに貼り付けられたラベルに印刷されたバーコードを読み取ることによって行われる。バーコードには、媒体種別（光ディスク、磁気テープ、クリーニング用光ディスク、クリーニング用磁気テープ、他）及び個別管理番号の情報が含まれている。バーコードは、媒体種別が肉眼では判別しにくい蛍光体を用いた共通バーコードを予め印刷されたラベルに、個別管理番号の個別バーコードをプリンターによって印刷して使用することも可能である。個別識別手法は、バーコード以外にも各種ある。媒体種別は、カートリッジに物理的に識別可能な領域を設けることで可能で、穴の有無、反射率あるいは透過率の違い等を用いても識別可能である。またカートリッジ重量の違いでも識別可能である。個別管理番号は、バーコードではなく、数字をパターン認識によって行うことも可能である。その他、非接触型ICタグを用いれば、媒体種別だけでなく個別管理番号の識別も同一タグにより行える。以上の識別方法は、組み合わせも可能で、例えば、バーコードラベル添付領域の横に、5mm角の印刷領域を設け、光ディスクカートリッジには白色インキにより、テープカートリッジにはつや消し黒色インキにより印刷し、個別管理番号の入ったバーコードを印刷したラベルをバーコードラベル貼付領域に貼付すれば、カートリッジ保持部に取り付けられた光学読み取り装置で、媒体種別及び個別管理番号の識別が行える。
【００１５】
各カートリッジの個別認識が完了すると、制御ソフトによりシステム稼動に必要な光ディスクカートリッジ及びテープカートリッジが選択され、それぞれ光ディスクドライブ、磁気テープドライブに搬送機構により挿入される。光ディスクカートリッジは、光ディスクドライブに挿入されると、5セットある光ディスク単体及びトレイの組み合わせから1セットが選択され、トレイがドライブ側に引き込まれるようカートリッジとドライブの高さ位置関係を調整後、ドライブのスピンドルモーター取り付け部にローディングされる。光ディスクドライブでは、おのおの各1枚ずつに書き込み/読み出しが行われる。書き込み/読み出し用ヘッドは各1枚にディスクの両面用が別々に設けられており、RAID構成数ではディスク1枚が2台分に相当する。サーバーから直接もしくはネットワークを介して送られてくるデータは、RAID構成された光ドライブ2台ずつを1セットとして随時書き込まれる。万一RAID構成ドライブに故障が発生しても、故障ドライブを正常ドライブに交換し、故障ドライブに故障直前まで記録されていた光ディスクカートリッジを挿入し直せば、短期時間でRAID構成を復旧可能である。
【００１６】
所定の基準で選ばれた情報のデータ量が、テープカートリッジの1カートリッジ分に等しいか、やや足りない程度までストックされると、ストックされたデータは制御ソフトによってテープカートリッジに自動的に転送される。所定の基準を、例えば、アクセス頻度に設定することによって、アクセス頻度の低いデータを、光ディスク媒体よりビットコストは安いがランダムアクセス性に劣る磁気テープに移行することができ、コストとパフォーマンスの両立を図ることができる。またデータに重要性等のメタデータを付加しておけば、重要性等を含めた基準で運用することも可能となる。
【００１７】
テープカートリッジにはこのように、ストレージ階層を意識することなく、所定の基準に従って自動的にデータが移行される。
【実施例２】
【００１８】
本発明の共通カートリッジのサイズは、幅105mm×奥行105mm×高25mmとした。光ディスクカートリッジは、上ハーフ、下ハーフ、シャッター、ライトプロテクト、光ディスク単体から構成されている。光ディスク及びトレイは各1枚の組み合わせが、6セット使用されている。ここで光ディスクは、外径86mm、厚さ1.8mmの書き換え型及び追記型である。書き換え型には、光磁気方式の記録膜を用いたが、相変化方式の記録膜でも良い。追記型には、溶解合金型の記録膜を用いた。これは異なる2種類の材料を連続積層させた記録膜のことで、記録マークはレーザー光によって昇温・溶解することによって形成される。溶解前後の反射率が異なるので、読み出し可能となり、しかも消去や再書き込みができない追記型である。追記型には、この他、相変化方式、色素方式等があり、これらを用いることも可能である。テープカートリッジは、上ハーフ、下ハーフ、シャッター、ライトプロテクト、磁気テープ、リールから構成されている。磁気テープは幅12.65mm、厚さ9μm、長さ600m、保磁力2.5kOeの光サーボ検出付き磁気媒体である。
【００１９】
共通カートリッジを用いるライブラリー装置の構成は、以下の通りである。
・光ディスクドライブ：10台
内数：書き換え型光ディスク用：4台(2台ずつのRAID構成)、
追記型光ディスク用：6台(2台ずつのRAID構成)
・磁気テープドライブ：1台
・光ディスクカートリッジ
内数：書き換え型：10カートリッジ、追記型：50カートリッジ
・テープカートリッジ：40カートリッジ
・ライブラリー筐体：1台
【００２０】
ライブラリー筐体の主要構成は、ドライブスロット、保管スロット、搬送機構、制御用の回路及びソフトからなる。ドライブスロットは、寸法及びインターフェイスとも、光ディスクドライブ及び磁気テープドライブの両方に対応しているため、光ディスクドライブ及び磁気テープドライブをどのドライブスロットに入れるかは任意である。光ディスクカートリッジ及びテープカートリッジは共通カートリッジを使用するため、保管スロットへの装填位置は任意である。搬送機構は、カートリッジを保管スロットからドライブへ、あるいはドライブから保管スロットへ搬送するために、カートリッジを保持する保持部及び保持部を所定の位置に移動する移動機構部からなる。
【００２１】
ライブラリー装置は、以下のような動作を行う。なお、カートリッジには実施例１と同様にカートリッジの種類を識別するための識別子が設けてあり、各カートリッジの個別認識を行う。
【００２２】
各カートリッジの個別認識が完了し、光ディスクカートリッジが光ディスクドライブに挿入されると、6枚ある光ディスク単体から1枚が選択される。ドライブ側からトレイがカートリッジ内部に挿入できるようカートリッジとドライブの高さ位置関係を調整後、トレイはカートリッジ内部に挿入され、選択された1枚をトレイに載せ、ドライブ側に戻り、ドライブスピンドルモーター取り付け部にローディングされる。光ディスクドライブでは、おのおの各1枚ずつに書き込み/読み出しが行われる。サーバーから直接もしくはネットワークを介して送られてくるデータには、データの種別を示すメタデータが付加されている。このメタデータにより、書き換え型光ディスクに記録するのか、追記型光ディスクに記録するのかを、制御ソフトが判断する。例えば、金銭授受記録やメール送受信記録は追記型に残すという基準を設定すれば、メタデータからデータ種別を認識し、これらの記録を追記型光ディスクに書き込まれる。もちろん、メタデータは追記型に記録することを示すフラッグでも構わない。その場合、データの内容を問わずフラッグに従って追記型に記録する判断を行うことになる。それ以外のデータは、実施例１と全く同様の動作となる。本構成では、RAID構成がなされているので、おのおの別個のデータ転送を並行して受けることが可能である。実施例１に、追記型光ディスクを加えたことで、より幅広い用途に対応できる。
【実施例３】
【００２３】
本発明の共通カートリッジのサイズは、幅105mm×奥行102mm×高21mmとした。光ディスクカートリッジは、光ディスク3枚が外径20mm、高3mmのパイプ状部材で連結された連結型光ディスク、上ハーフ、下ハーフ、シャッター、ライトプロテクトから構成されている。テープカートリッジは、上ハーフ、下ハーフ、シャッター、ライトプロテクト、磁気テープ、リールから構成されている。磁気テープは幅12.65mm、厚さ9μm、長さ600m、保磁力2.5kOeの光サーボ検出付き磁気媒体である。
【００２４】
共通カートリッジを用いるライブラリー装置の構成は、以下の通りである。
・光ディスクドライブ：1台
・磁気テープドライブ：1台
・光ディスクカートリッジ：5カートリッジ
・テープカートリッジ：5カートリッジ
・ライブラリー筐体：1台
【００２５】
ライブラリー筐体の主要構成は、実施例１と同様の構成であり、ライブラリー装置は、以下のような動作を行う。なお、カートリッジには実施例１と同様にカートリッジの種類を識別するための識別子が設けてあり、各カートリッジの個別認識を行う。
【００２６】
各カートリッジの個別認識が完了すると、光ディスクカートリッジが、光ディスクドライブに挿入され、3.5型MO等と同様に連結型光ディスク全体がドライブのスピンドルモーター取り付け部にチャッキングされる。3枚の単体光ディスクは各2面ずつ持っているので、合計6面に対応した6つの書き込み読み出し用ヘッドによって、同時に6面の書き込み/読み出しが行われる。1台のドライブのみで6面のRAID構成となっている。サーバーから直接もしくはネットワークを介して送られてくるデータは、光ディスクドライブに随時書き込まれる。万一光ディスクドライブに故障が発生しても、故障ドライブを正常ドライブに交換し、故障ドライブで故障直前まで記録されていた光ディスクカートリッジを挿入し直せば、短期時間でRAID構成を復旧可能である。
【００２７】
アクセス頻度が低い情報のデータ量が、テープカートリッジの1カートリッジ分に等しいか、やや足りない程度までストックされると、ストックされたデータは制御ソフトによってテープカートリッジに自動的に転送される。本実施例では、光ディスクドライブ1台、磁気テープドライブ1台の最小構成システムで、光ディスクの高アクセス性と磁気テープの低ビットコスト性を同時に享受することができる。
【産業上の利用可能性】
【００２８】
本発明の情報記録再生システムによれば、アクセス速度、保存安全性、ビットコストに優れたストレージシステムの構築ができる。さらにアクセス頻度等から情報の階層化が可能になる。従ってアクセス頻度の高いデータを高速に読み出せ、アクセス頻度の低いデータを安価に保存することが可能となる。従って本発明の情報記録再生システムは、大量の情報を保存する必要があり、且つ、高速アクセス性が必要のシステムにとって好適である。